(57)【要約】【課題】  いびきをかいている就寝者の頭部を、安眠を妨げないように斜め横向きにするいびき防止装置用枕支持台、いびき防止装置用枕装置及びいびき防止装置を提供すること。【解決手段】本発明に係るいびき防止装置用枕支持台は、平面体をなす基板と、基板の平面上に取り付けられる空気式膨張収縮機構と、空気式膨張収縮機構により支持された、枕を載置するための支持板と、この支持板を基板に対し左右方向に傾動可能に取り付けるリンク機構とを有する。また、いびき防止装置用枕装置は、枕と、枕の下面側に載置される３個の枕空気袋と、これら枕及び３個の枕空気袋を収納する枕外袋とからなる。【選択図】        図１
2005058386.tif 000002
【特許請求の範囲】
【請求項１】
平面体をなす基板と、基板の平面上に取り付けられる空気式膨張収縮機構と、空気式膨張収縮機構により支持された、枕を載置するための支持板と、この支持板を基板に対し左右方向に傾動可能に取り付けたリンク機構とを有し、前記空気式膨張収縮機構は、空気を給排気することにより、基板の左右方向の中心線部を軸として支持板を左右何れかの方向に選択的に傾動し得るように膨張収縮するものであることを特徴とするいびき防止装置用枕支持台。
【請求項２】
空気式膨張収縮機構は、基板の左右方向の中心線に対し左右対称的に配置された枕空気袋を構成部材とするものであって、枕空気袋は、基板の左右方向の中心線部で基板に固定され、その他の部分では基板及び支持板には固定されないように取り付けられ、さらに、左右方向の中心線の左右部が選択的に膨張収縮可能に形成されていることを特徴とする請求項１記載のいびき防止装置用枕支持台。
【請求項３】
前記枕空気袋は、左右一対の枕空気袋からなることを特徴とする請求項２記載のいびき防止装置用枕支持台。
【請求項４】
前記枕空気袋は、２枚以上のシート材を溶着して形成されてなるものであって、周縁部及び左右方向の中心線部分を溶着することにより、空気を導入する空気室が左右一対形成されてなることを特徴とする請求項２記載のいびき防止装置用枕支持台。
【請求項５】
支持板の下面及び基板の上面における枕空気袋との接触面に潤滑材が塗布されていることを特徴とする請求項２〜４の何れか１項記載のいびき防止装置用枕支持台。
【請求項６】
空気式膨張収縮機構は、空気を給排気することにより伸縮する蛇腹状膨張器を構成部材とするものであって、蛇腹状膨張器が基板の左右方向の中心線に対し左右対称的に配置され、さらに、蛇腹状膨張器の下面が基板に固定され、蛇腹状膨張器の上面が支持板に固定されてなることを特徴とする請求項１記載のいびき防止装置用枕支持台。
【請求項７】
前記リンク機構は、基板の中心線部分において基板に対し左右方向に回転自在に軸支された複数本のアームと、アームの上端部を支持板の下面に取り付けるための接続具とを構成部材とし、接続具は、アームの上端部を支持板の下面に対し回転自在にするとともに、所定範囲で左右方向にスライド可能に形成されてなることを特徴とする請求項１〜５の何れか１項記載のいびき防止装置用枕支持台。
【請求項８】
枕と、枕の下面側に載置される枕空気袋と、これら枕及び枕空気袋を収納する枕外袋とからなり、前記枕空気袋は、２枚以上のシート材を溶着して左右方向に３個の空気室を形成してなるものであって、中央部の空気室が左右の空気室より幅狭く形成されてなることを特徴とするいびき防止装置用枕装置。
【請求項９】
請求項１〜７の何れか１項記載のいびき防止装置用枕支持台と、この枕支持台の空気膨張機構に空気を供給する空気ポンプと、この枕支持台の空気膨張機構の給排気を制御する空気制御弁とを備えたことを特徴とするいびき防止装置。
【請求項１０】
請求項８記載のいびき防止装置用枕装置と、この枕装置の３個の枕空気袋に空気を供給する空気ポンプと、この３個の枕空気袋の給排気を制御する空気制御弁とを備えたことを特徴とするいびき防止装置。
【発明の詳細な説明】
【技術分野】
【０００１】
この発明は、いびきをかいている就寝者のいびきを止めるためのいびき防止装置に用いる枕支持台及び枕装置に関する。
【背景技術】
【０００２】
多くの人は睡眠中いびきをかいている。このいびきは同室に就寝している他者の睡眠を妨げる。そこで、このようないびきをかいている人のいびきを止めるためのいびき防止装置が開発されている。
このようないびき防止装置として特許文献１のようないびき防止装置が知られている。この装置は、いびきをかく人の頭を左右に振動させることでいびきを止めるようにしたものである。
しかしながら、この方法は、熟睡状態から目覚める方向の刺激を就寝者に与えるため、就寝者にとっては好ましい方法ではない。
【０００３】
また、上記の方法とは別に、特許文献２に記載されたいびき防止装置が知られている。特許文献２によれば、この装置は、マットレスを多数区分に分割し、その区分に空気、液体又はゲル状の流体を充填する。また、各分割された部分にはそれぞれ圧力、振動、温度を感知するセンサが設けられている。そして、このセンサからの情報に基づき、寝ている人の位置、呼吸数、心拍、いびき、うめきなどを検出し、これら情報を基に、寝返りを誘発するようにマットレスの形状を時間的に変化させる、寝返りによりいびきを停止させるようにしたものであると記述されている。
【０００４】
しかしながら、この従来装置は、多数のセルを制御する必要があるため、構成機能が複雑となることが推測される。このため装置全体として大型化し、重量が増加することが容易に予測されるものであって、一般家庭向きでないものである。また、この文献自体には、就寝者の安眠を妨げないようにマットレスの形状を変化させるという抽象的記載はあるが、具体的な方法、装置については言及されていない。したがって、この特許文献２は、抽象的アイデアを記載したのみで、就寝者の安眠を妨害せずにいびきを防止する具体的装置については何らの開示もしていない。
【特許文献１】登録実用新案公報第３０６３２１９号公報
【特許文献２】特開平１１−３４２０４９号公報
【発明の開示】
【発明が解決しようとする課題】
【０００５】
一般に、いびきをかいている人に対し、横臥姿勢で寝ている人からのいびきの発生及びいびきの音量は、仰臥している人からのいびきの発生及びいびきの音量に比較して格段に低くなることが既に知られている。
そこで、いびきをかいている就寝者の安眠を妨げないように、このいびきを止めるには、いびきをかいている就寝者を無意識のうちに横臥姿勢にさせることが効果的な方法であることを見出した。また、このためには、頭を斜め横向きにするように、枕の左右何れか一方を持ち上げて枕を傾動させることが有効な手段であることを見出した。なお、このように枕の左右何れか一方を持ち上げる場合に、いびきをかいている就寝者の枕を持ち上げる側の背中部を同時に持ち上げて体全体的に斜め横向きにすることはより有効であることも判明した。
しかしながら、このように枕の左右何れか一方を持ち上げていびきをかいている就寝者の頭を斜め横向きにするための適切な装置が従来開発されていなかった。
【０００６】
そこで、本発明は、従来技術におけるこのような問題点に鑑みなされたものであって、いびきをかいている就寝者の頭部を、安眠を妨げないように斜め横向きにするいびき防止装置用枕支持台、いびき防止装置用枕装置及びいびき防止装置を提供することを目的とする。
【課題を解決するための手段】
【０００７】
上記目的を達成するために、第１の課題解決手段に係る発明は、平面体をなす基板と、基板の平面上に取り付けられる空気式膨張収縮機構と、空気式膨張収縮機構により支持された、枕を載置するための支持板と、この支持板を基板に対し左右方向に傾動可能に取り付けたリンク機構とを有し、前記空気式膨張収縮機構は、空気を給排気することにより、基板の左右方向の中心線部を軸として支持板を左右何れかの方向に選択的に傾動し得るように膨張収縮するものであることを特徴とする。
【０００８】
この第１の課題解決手段に係るいびき防止装置用枕支持台において、空気式膨張収縮機構は、基板の左右方向の中心線に対し左右対称的に配置された枕空気袋を構成部材とするものであって、枕空気袋は、基板の左右方向の中心線部で基板に固定され、その他の部分では基板及び支持板には固定されないように取り付けられ、さらに、左右方向の中心線の左右部が選択的に膨張収縮可能に形成されているように構成してもよい。
【０００９】
また、この第１の課題解決手段に係るいびき防止装置用枕支持台において、前記枕空気袋は、左右一対の枕空気袋からなるように構成してもよい。
【００１０】
また、この第１の課題解決手段に係るいびき防止装置用枕支持台において、前記枕空気袋は、２枚以上のシート材を溶着して形成されてなるものであって、周縁部及び左右方向の中心線部分を溶着することにより、空気を導入する空気室が左右一対形成されてなるように構成してもよい。
【００１１】
また、この第１の課題解決手段に係るいびき防止装置用枕支持台において、支持板の下面及び基板の上面における枕空気袋との接触面に潤滑材を塗布するようにしてもよい。
【００１２】
また、この第１の課題解決手段に係るいびき防止装置用枕支持台において、空気式膨張収縮機構は、空気を給排気することにより伸縮する蛇腹状膨張器を構成部材とするものであって、蛇腹状膨張器が基板の左右方向の中心線に対し左右対称的に配置され、蛇腹状膨張器の下面が基板に固定され、蛇腹状膨張器の上面が支持板に固定されてなるものであってもよい。
【００１３】
また、この第１の課題解決手段に係るいびき防止装置用枕支持台において、前記リンク機構は、基板の中心線部分において基板に対し左右方向に回転自在に軸支された複数本のアームと、アームの上端部を支持板の下面に取り付けるための接続具とを構成部材とし、接続具は、アームの上端部を支持板の下面に対し回転自在にするとともに、所定範囲で左右方向にスライド可能に形成されてなるものであってもよい。
【００１４】
また、第２の課題解決手段に係る発明は、いびき防止装置用枕装置に関するものであって、枕と、枕の下面側に載置される枕空気袋と、これら枕及び枕空気袋を収納する枕外袋とからなり、前記枕空気袋は、２枚以上のシート材を溶着して左右方向に３個の空気室を形成してなるものであって、中央部の空気室が左右の空気室より幅狭く形成されてなることを特徴とする。
【００１５】
また、第３の課題解決手段に係る発明は、いびき防止装置に関するものであって、前述の第１の課題解決手段に係るいびき防止装置用枕支持台と、この枕支持台の空気膨張機構に空気を供給する空気ポンプと、この枕支持台の空気膨張機構の給排気を制御する空気制御弁とを備えたことを特徴とする。
【００１６】
また、第４の課題解決手段に係る発明は、いびき防止装置に関するものであって、前述の第１の課題解決手段に係るいびき防止装置用枕装置と、この枕装置の３個の枕空気袋に空気を供給する空気ポンプと、この３個の枕空気袋の給排気を制御する空気制御弁とを備えたことを特徴とする。
【発明の効果】
【００１７】
第１の課題解決手段に係るいびき防止装置用枕支持台によれば、基板に対し左右方向に傾動可能に取り付けられた支持板上に枕が載置されているので、いびきを止めるために枕を傾動させた場合に、枕が彎曲しない。したがって、いびきをかいている就寝者の頭部を無理なく斜めに傾斜させることが可能となり、就寝者の睡眠を妨げることが防止される。
【００１８】
また、この第１の課題解決手段に係るいびき防止装置用枕支持台において、空気式膨張収縮機構を基板の左右方向の中心線に対し左右対称的に配置された枕空気袋で構成し、この枕空気袋を基板の左右方向の中心線部で基板に固定し、その他の部分では基板及び支持板には固定されないように取り付け、左右方向の中心線の左右部を選択的に膨張収縮可能に形成した場合は、支持板が枕空気袋で支持されて傾動するので、柔らかい動きとなりいびきをかいて就寝している人の安眠を妨げない動きにすることができる。
【００１９】
また、この場合において、枕空気袋を左右一対の枕空気袋とすると、枕空気袋を簡単な構成にすることができる。
【００２０】
また、この場合において、枕空気袋を２枚以上のシート材を溶着して形成したものとし、空気を導入する空気室を左右に形成すると、１個の枕空気袋で賄うことができるので、枕空気袋のコストを低減することができる。
【００２１】
また、この場合において、支持板の下面及び基板の上面における枕空気袋との接触面に潤滑材を塗布すると、枕空気袋と支持板及び基板との摺動面に発生する摩擦音を低減することができる。
【００２２】
また、この第１の課題解決手段に係るいびき防止装置用枕支持台において、空気式膨張収縮機構を空気を給排気することにより伸縮する蛇腹状膨張器を構成部材とし、この蛇腹状膨張器を基板の左右方向の中心線に対し左右対称的に配置し、さらに、蛇腹状膨張器の下面を基板に固定し、蛇腹状膨張器の上面を支持板に固定するようにすると、枕空気袋と支持板及び基板との間に発生する摩擦音を完全に防止することができる。
【００２３】
また、この第１の課題解決手段に係るいびき防止装置用枕支持台において、リンク機構を、基板の中心線部分において基板に対し左右方向に回転自在に軸支した複数本のアームを構成部材とし、このアームの上端部を支持板の下面に取り付けられた接続具に取り付け、この接続具において支持板の下面に対し所定範囲で左右方向にスライド可能及び回転可能に形成すると、支持板を空気式膨張収縮機構に支持させながら、基板の中心線部を中心に、基板に対し円滑に傾動させることができる。
【００２４】
また、第２の課題解決手段に係るいびき防止装置用枕装置によれば、枕と、２枚以上のシート材を溶着して左右方向に３個の空気室が形成されたものであって、中央部の空気室が左右の空気室より幅狭く形成されているので、硬い構成物がなく、就寝者に対する違和感が少ない。また、枕は、このように構成された枕空気袋により多点で支持されるため、枕の彎曲を防ぐことができる。また、装置の表面が汚れても枕外袋を洗濯することにより簡単に清潔さを維持することができる。
【００２５】
また、第３の課題解決手段に係るいびき防止装置によれば、前述の第１の課題解決手段に係るいびき防止装置用枕支持台を用いていびきをかいている就寝者の頭部を無理なく斜め横向きに傾斜させるので、いびきをかいている就寝者の安眠を妨げずにいびきを止めることができる。
【００２６】
また、第４の課題解決手段に係るいびき防止装置によれば、前述の第１の課題解決手段に係るいびき防止装置用枕装置を用いていびきをかいている就寝者の頭部を無理なく斜め横向きに傾斜させるので、いびきをかいている就寝者の安眠を妨げずにいびきを止めることができる。
【発明を実施するための最良の形態】
【００２７】
以下各実施例について図面に基づいて説明する。
【実施例１】
【００２８】
まず、実施例１について図１〜図５に基づいて説明する。なお、図１は本発明の実施例１に係るいびき防止装置用枕支持台の正面図であって、支持板が傾動していないときの状態図である。図２は同いびき防止装置用枕支持台の正面図であって、支持板が傾動しているときの状態図である。図３は同いびき防止装置用枕支持台に用いられている枕空気袋の平面図である。図４は同いびき防止装置用枕支持台に用いられている基板及び支持板の斜視図であって、潤滑材の塗布個所を示す。図５は同いびき防止装置用枕支持台を用いたいびき防止装置の空気配管回路図である。
【００２９】
いびき防止装置用枕支持台１（以下単に枕支持台１という）は、図１〜図４に示すように、平面体をなす基板２と、基板２の平面上に取り付けられる空気式膨張収縮機構３と、枕４を載置するための支持板５と、この支持板５を基板２に対し左右方向に傾動可能に取り付けるリンク機構６とを有する。
基板２は、平面体を形成する板状部材であり、アルミ板や薄鋼板、樹脂などから構成されている。また、基板２は、平面視長方形である。なお、以下の説明において、左右方向をいうときは寝具１０上に仰臥する就寝者からみた方向いうものとする。したがって、図５における右側が就寝者から見た左側に該当し、図５における左側が就寝者から見た右側に該当する。
【００３０】
空気式膨張収縮機構３は、基板２の左右方向の中心線に対し左右対称的に配置された１対の枕空気袋８、９からなる。この枕空気袋８、９は、２枚以上のポリエチレンやポリウレタンなどの材料から形成したシートを溶着により貼り合わせて形成されている。右枕空気袋９は、図３に示すように、左端部が凹状に形成されている。これに対し、左枕空気袋８は右端部が凸状に形成されている。この左右枕空気袋８．９は、図３に示すように左右の凹凸端部が組み合わされた状態で、基板２の左右方向の中心線部にフック等で固定されている。なお、左右枕空気袋８．９は、この凹凸の組合部以外では、基板２及び支持板５には固定されていない。また、左右枕空気袋８．９は、上記のように組み合わされた状態における左右両端部に空気配管接続口８ａ、９ａが形成されている。
【００３１】
支持板５は、平面形状が基板２と略同形同寸の長方形である。また、支持板５は、強度を向上するために、長辺側端部には折曲片５ａが形成されている。また、支持板５は、枕空気袋８、９の上面で支持されるとともに、次に述べるリンク機構６により、基板２の左右方向の中心部を中心にして、基板２に対し左右に傾動するように構成されている。図１は支持板５が水平を保持している状態であり、図２は支持板５が左側に傾動した状態を示すが、このような動きをする際に、枕空気袋８、９と支持板５の下面との間、及び枕空気袋８、９と基板２の上面との間で摺動摩擦が生じる。また、枕空気袋８、９が摺動する際に摩擦音が発生する。そこで、この摩擦音の発生を未然に防ぐために、図４に示すように、支持板５の下面の領域Ａ及び基板２の上面の領域Ｂには、潤滑材としてシリコン系グリスが塗布されている。
【００３２】
リンク機構６は、下端部が基板２の中心線部において左右方向に回転自在に軸支された２本のアーム６ａと、このアーム６ａの上端部を支持板５に取り付けるための接続具６ｂとから構成されている。この接続具６ｂは、アーム６ａの上端部を、接続具６ｂ内で支持板５の下面に沿ってスライド可能に、かつ、支持板５の下面に対し左右方向に回転自在とする。
【００３３】
次に、この枕支持台１を用いたいびき防止装置について、図５により説明する。
図５に示されるように、上記枕支持台１は、就寝者が仰臥するマットレス、布団、ベッドなどの寝具１０上に配置される。また、寝具１０上には、左右背中空気袋１１、１２が配置され、背中空気袋１１、１２の上又は下には、いびきセンサ１３及び位置センサ１４が配置されている。
【００３４】
左背中空気袋１１と右背中空気袋１２とは、寝具１０上の所定位置に仰臥して就寝する人の脊椎を中心として左右に対称的に配置されている。各背中空気袋１１、１２は、寝具１０上の所定位置に仰臥して就寝する人の肩から腰上部に至る長さを備えている。また、各背中空気袋１１、１２は、頭上側の端部において、寝具１０上の所定位置に仰臥して就寝する人の頭部の側方位置に空気配管接続口１１ａ、１２ａが設けられている。
【００３５】
いびきセンサ１３は、いびき音やいびきにより身体から伝わる振動を捉えて、いびきの有無を検出するものであって、従来公知のものでよい。
【００３６】
位置センサ１４は、就寝者の体重が寝具１０上で左右何れの側に多くの体重が掛かっているかを相対的に比較して、就寝者の就寝位置が左右何れかを判定するものであればよく、従来公知の適宜のものでよい。
【００３７】
また、前記枕空気袋８、９及び背中空気袋１１、１２は図５に示すように、空気配管１５により空気ポンプ１６の吐出側に接続されている。すなわち、左枕空気袋８及び左背中空気袋１１は、左三方弁１７を介し空気ポンプ１６の吐出側に接続され、右枕空気袋９及び右背中空気袋１２は、右三方弁１８を介し空気ポンプ１６の吐出側に接続されている。
【００３８】
上記のように構成されたいびき防止装置において、就寝者がいびきをかきだすと、いびきセンサ１３がこれを検出する。そして、位置センサ１４により就寝者が寝具１０上の左右何れに位置しているかを検出する。次いで、就寝者が位置している側の枕空気袋８、９及び背中空気袋１１、１２に空気を供給するように、空気ポンプ１６及び左右三方弁１７、１８が制御される。例えば、就寝者が右側に位置していることが検知された場合は、右枕空気袋９及び右背中空気袋１２が膨張される。これにより、枕支持台１は図２のように傾動する。このようにして、就寝者を、左斜めを向くように矯正すると、就寝者は安定した姿勢で睡眠するために無意識に横臥するようになる。これにより、いびきが止まる。
【００３９】
実施の形態１の枕支持台１及びこれを応用したいびき防止装置は以上のように構成されているので次のような効果を奏することができる。
基板２に対し左右方向に傾動可能に取り付けられた支持板５上に枕４が載置されているので、いびきを止めるために枕４が傾動された場合に、枕４が彎曲することを防止することができる。したがって、いびきをかいている就寝者の頭部を無理なく斜めに傾斜させることが可能となり、就寝者の睡眠を妨げることが防止される。
【００４０】
また、支持板５を傾動させる空気式膨張収縮機構３を基板２の左右方向の中心線に対し左右対称的に配置された枕空気袋で構成し、この枕空気袋を基板２の左右方向の中心線部で基板２に固定し、その他の部分では基板２及び支持板５には固定されないように取り付け、左右方向の中心線の左右部を選択的に膨張収縮可能に形成しているので、支持板５が枕空気袋で支持されて傾動される。したがって、支持板５の傾動は、柔らかい動きとなり、いびきをかいて就寝している人の安眠を妨げない動きとなる。
【００４１】
また、枕空気袋を左右一対の枕空気袋８、９としているので、この枕空気袋を簡単な構成にすることができる。
【００４２】
また、支持板５の下面及び基板２の上面における枕空気袋との接触面に潤滑材が塗布されているので、枕空気袋と支持板５及び基板２との間に発生する摩擦音を低減することができる。
【００４３】
また、リンク機構６を、基板２の中心線部分において基板２に対し左右方向に回転自在に軸支した複数本のアーム６ａを構成部材とし、このアーム６ａの上端部を支持板５の下面に取り付けられた接続具６ｂに取り付け、この接続具６ｂにおいて支持板５の下面に対し所定範囲で左右方向にスライド可能及び回転可能に形成しているので、支持板５を空気式膨張収縮機構３に支持させながら、基板２の中心線部を中心に、基板２に対し円滑に傾動させることができる。
【００４４】
、
また、実施例１に係るいびき防止装置では、上記構成の枕支持台１を用いるので、いびきをかいている就寝者の頭部を無理なく斜めに傾斜させることが可能となり、就寝者の睡眠を妨げることが防止される。
【００４５】
また、実施例１に係るいびき防止装置では、上記構成の枕支持台１とともに背中空気袋１１、１２を用い、枕支持台１を傾けるときに同方向の背中空気袋１１、１２を膨らませているので、いびきをかいている就寝者を、よりむりなく横臥させることができ、より効果的にいびきを止めることができる。
【実施例２】
【００４６】
次に実施例２について、図６に基づき説明する。図６は実施例２に係るいびき防止装置に用いる枕空気袋の平面図である。なお、図６において実施例１と同一又は相当する個所には同一の符号を付しその説明を省略する。
【００４７】
実施例２に係る枕支持台１及び枕支持台１を用いたいびき防止装置は、実施例１における空気式膨張収縮機構３としての枕空気袋８、９をより簡単な構成の枕空気袋２１としたもので、図６のような構成にしたものである。なお、実施例２に係る枕支持台１及び枕支持台１を用いたいびき防止装置は、この枕空気袋２１の構成を除いては実施例１と同一である。
【００４８】
実施例２に係る枕空気袋２１は、実施例１の場合と同様に、２枚以上のシート材を溶着して形成しているが、周縁部２２及び左右方向の中心線部分２３を溶着することにより、空気を導入する空気室２４、２５を左右に一対形成したものである。また、この枕空気袋２１は、左右端部に空気配管接続口２４ａ、２５ａを備えている。
【００４９】
実施例２に係る枕支持台１では、空気式膨張収縮機構３としての枕空気袋２１を１個の枕空気袋２１で賄うことができるので、枕空気袋２１のコスト、引いては枕支持台１及びいびき防止装置のコストを低減することができる。
【実施例３】
【００５０】
次に、実施例３について図７に基づき説明する。図７は本発明の実施例３に係る枕支持台の正面図であり、支持板が傾動している状態図である。なお、図６において実施例１と同一又は相当する個所には同一の符号を付しその説明を省略する。
【００５１】
実施例３に係る枕支持台１及びいびき防止装置は、実施例１における空気式膨張収縮機構３を変更したもので、その他の構成は実施例１と同一である。
実施例３における枕支持台１では、空気式膨張収縮機構３として空気を給排気することにより伸縮する蛇腹状膨張器３１、３２が用いられている。この蛇腹状膨張器３１、３２は、基板２の左右方向の中心線に対し左右対称的に配置されている。そして、この蛇腹状膨張器３１、３２の下面は基板２に固定され、蛇腹状膨張器３１、３２の上面は支持板５に固定されている。
【００５２】
実施例３に係る枕支持台１及びいびき防止装置によれば、空気式膨張収縮機構３として空気を給排気することにより伸縮する蛇腹状膨張器３１、３２が基板２の左右方向の中心線に対し左右対称的に配置され、この蛇腹状膨張器３１、３２の端面が基板２及び支持板５に固定されているので、実施例１の場合のように枕空気袋８、９が基板２及び支持板５に擦れて発する摩擦音を完全に防止することができる。
【実施例４】
【００５３】
次に、実施例４について図８〜１０に基づいて説明する。図８は本発明の実施例４に係る枕装置の正面図であり、枕が傾動していないときの状態図である。図９は同枕装置の正面図であり、枕が傾動しているときの状態図である。図１０は同枕装置に用いられる枕空気袋の平面図である。
【００５４】
実施例４に係るいびき防止装置は、実施例１における枕支持台１に代わり、枕４を収納した枕装置４０を用いたものである。
実施例４における枕装置４０は、枕４を内蔵し、この内蔵した枕４を傾動させるようにしたものである。したがって、実施例１のような枕支持台１は不要である。
この枕装置４０は、枕４と、枕４の下面側に載置される枕空気袋４１と、これら枕４及び枕空気袋４１を収納する枕外袋４５とからなる。
枕４は実施例１におけるものと同様のものでよい。
【００５５】
枕空気袋４１は、実施例１における枕空気袋８、９と同様の材料から形成されている。また、枕空気袋４１は、２枚以上のシート材を溶着して左右方向に３個の空気室４２，４３，４４が形成されたものであって、中央部の空気室４３が左右の空気室より幅狭く形成されている。これら空気室４２、４３、４４の大きさは、枕４を傾動させるときに枕４下面を平板で支持する代わりをなすように、３個の空気室４２、４３、４４の頂面が平面上に並び、３点で枕４を支持できるような大きさとする。また、各空気室４２、４３、４４には、空気配管１５を接続するための空気配管接続口４２ａ、４３ａ、４４ａが設けられている。
【００５６】
また、空気配管回路は図示しないが、各空気室４２、４３、４４にはそれぞれ三方弁とうの空気制御弁が必要になることはいうまでもない。なお、空気室４３用の空気制御弁は、枕４を左右何れかの方向に傾動するときは、常に給気位置に設定され、空気室４３を膨張させることが必要になる。
また、枕外袋４５は就寝者が頭を乗せて寝る部分であるので、柔ら生地のものが好ましい。なお、いびき防止装置としての他の構成は、基本的に実施例１と同様である。
【００５７】
実施例４に係る枕装置４０によれば、枕４と、２枚以上のシート材を溶着して左右方向に３個の空気室４２、４３、４４が形成されたものであって、中央部の空気室４３が左右の空気室４２、４４より幅狭く形成されている枕空気袋４１と、これらを収納する枕外袋４５とから構成されているので、硬い構成物がなく、就寝者に対する違和感が少ない。また、枕４は、３個の枕空気袋４２、４３、４４により３点で支持されるため、枕４の彎曲を防ぐことができる。また、装置の表面が汚れても枕外袋４５を洗濯することにより簡単に清潔さを維持することができる。
【００５８】
また、このような枕装置４０を用いたいびき防止装置によれば、上記構成の枕装置４０を用いるので、いびきをかいている就寝者の頭部を無理なく斜めに傾斜させることが可能となり、就寝者の睡眠を妨げることが防止される。
【産業上の利用可能性】
【００５９】
本発明の枕支持台１、枕装置４０は一般家庭、宿泊施設等向けのいびき防止装置に組み込まれる。また、この枕支持台１、枕装置４０を組み込んだいびき防止装置は、一般家庭や宿泊施設等において、就寝時にいびきをかく人が同室にいる場合に用いると、同室者のいびきに悩まされることなく睡眠することができる。
【図面の簡単な説明】
【００６０】
【図１】本発明の実施例１に係るいびき防止装置用枕支持台の正面図であって、枕空気袋が傾動していない状態図である。
【図２】同いびき防止装置用枕支持台の正面図であって、右枕空気袋が傾動している状態図である。
【図３】いびき防止装置用枕支持台に用いられている枕空気袋の平面図である。
【図４】同いびき防止装置用枕支持台に用いられている基板及び支持板の斜視図であって、潤滑材の塗布個所を示す。
【図５】同いびき防止装置用枕支持台を用いたいびき防止装置の空気配管回路図である。
【図６】実施例２に係るいびき防止装置に用いる枕空気袋の平面図である。
【図７】本発明の実施例３に係る枕支持台の正面図であり、枕が傾動している状態図である。
【図８】本発明の実施例４に係る枕装置の正面図であり、枕が傾動していないときの状態図である。
【図９】同枕装置の正面図であり、枕が傾動しているときの状態図である。
【図１０】同枕装置に用いられる枕空気袋の平面図である。
【符号の説明】
【００６１】
１  （いびき防止装置用）枕支持台
２  基板
３  空気式膨張収縮機構
４  枕
５  支持板
６  リンク機構
６ａ  アーム
６ｂ  接続具
８  左枕空気袋
９  右枕空気袋
１０  寝具
１１  左背中空気袋
１２  右背中空気袋
１３  いびきセンサ
１４  位置センサ
２１  枕空気袋
２２  周縁部
２３  中心線部分
２４  空気室
２５  空気室
３１  蛇腹状膨張器
３２  蛇腹状膨張器
４０  枕装置
４１  枕空気袋
４２  空気室
４３  空気室
４４  空気室
４５  枕外袋
【図１】
2005058386.tif 000003
【図２】
2005058386.tif 000004
【図３】
2005058386.tif 000005
【図４】
2005058386.tif 000006
【図５】
2005058386.tif 000007
【図６】
2005058386.tif 000008
【図７】
2005058386.tif 000009
【図８】
2005058386.tif 000010
【図９】
2005058386.tif 000011
【図１０】
2005058386.tif 000012